(57)【要約】【課題】棚の段数を自由に変更でき限られたスペースに設置可能な陳列棚及び陳列システムを提供する。【解決手段】主ユニット１０が主ユニット用棚部１１と主ユニット用左側部１２と主ユニット用右側部１３と主ユニット用前面部１４を備えて収容領域１７を画成し、調整ユニット２０が調整ユニット用左側部２２と調整ユニット用右側部２３と調整ユニット用前面部２４を備え、主ユニット用前面部１４と調整ユニット用前面部２４が平面視で重なり得る状態において、主ユニットにおける収容領域１７に調整ユニット用左側部２２及び調整ユニット用右側部２３の少なくとも一部が収容可能であり、それらの一部が収容領域１７から少なくとも部分的に引き出され、調整ユニット用棚部４１が調整ユニット用左側部４２と調整ユニット用右側部４３に架け渡されて載置され、主ユニット用棚部１１と調整ユニット用棚部４１が高さ方向及び奥行き方向に異なる位置に配置される。【選択図】図１
2020151155.tif 000002
【特許請求の範囲】
【請求項１】
主ユニット及調整ユニットを備えており、
前記主ユニットが、
左右方向及び奥行き方向に延びる主ユニット用棚部と、
前記主ユニット用棚部の左部を支持する主ユニット用左側部と、
前記主ユニット用棚部の右部を支持する主ユニット用右側部と、
所定の上下幅を有しており、前記主ユニット用左側部の上端部と前記主ユニット用右側部の上端部とに架け渡されて設けられた主ユニット用前面部と、
を備えており、前記主ユニット用左側部、前記主ユニット用右側部及び前記主ユニット用棚部が収容領域を画成しており、
前記調整ユニットが、
調整ユニット用左側部と、
前記調整ユニット用左側部に対して右方向に一定の間隔をあけて設けられた調整ユニット用右側部と、
前記調整ユニット用左側部の上端部と前記調整ユニット用右側部の上端部とに架け渡されて設けられた調整ユニット用前面部と、
を備えており、
前記調整ユニット用前面部、前記調整ユニット用左側部及び前記調整ユニット用右側部は、何れも、前記主ユニット用前面部の下端よりも低い上端を有しており、
前記主ユニット用前面部と前記調整ユニット用前面部とが平面視で重なり得る状態において、前記主ユニットにおける収容領域に前記調整ユニット用左側部及び前記調整ユニット用右側部の少なくとも一部が収容可能であり、
前記調整ユニット用左側部及び前記調整ユニット用右側部の前記一部が前記主ユニットにおける収容領域から少なくとも部分的に引き出され、調整ユニット用棚部が前記調整ユニット用左側部と前記調整ユニット用右側部とに架け渡されて載置され、前記主ユニット用棚部と前記調整ユニット用棚部とが高さ方向及び奥行き方向に異なる位置に配置される、陳列棚。
【請求項２】
さらに、フロントユニットを備えており、
前記フロントユニットが、
前記調整ユニット用左側部を挟んで前記主ユニット用左側部と少なくとも一部対峙するように設けられたフロントユニット用左側部と、
前記フロントユニット用左側部に対して右方向に一定の間隔をあけて設けられ、かつ前記調整ユニット用右側部を挟んで前記主ユニット用右側部と少なくとも一部対峙するように設けられたフロントユニット用右側部と、
前記フロントユニット用左側部の下端部と前記フロントユニット用右側部の下端部との間においてフロント側で架け渡され、前記フロントユニット用左側部よりも左方向に延出し、かつ、前記フロントユニット用右側部よりも右方向に延出したフロントユニット用底部と、
前記フロントユニット用左側部の上端部と前記フロントユニット用右側部の上端部との間においてフロント側で架け渡され、前記フロントユニット用左側部よりも左方向に延出し、かつ、前記フロントユニット用右側部よりも右方向に延出したフロントユニット用棚部と、
を備え、
前記フロントユニット用左側部及び前記フロントユニット用右側部は、前記フロントユニット用底部及びフロントユニット棚部と比べて、長い奥行き寸法を有しており、
前記調整ユニット用左側部及び前記調整ユニット用右側部が、前記フロントユニット用左側部及び前記フロントユニット用右側部のそれぞれの後部を収容するためのフロントユニット用収容領域を画成しており、
前記フロントユニット用左側部と前記フロントユニット用右側部のそれぞれの後部が前記フロントユニット用収容領域に収容され得る状態において、前記フロントユニット用棚部及び前記フロントユニット用底部が前記収容領域に収容されずに前記主ユニットからフロント側に突出している、請求項１に記載の陳列棚。
【請求項３】
主ユニット及複数の調整ユニットを備えており、
前記主ユニットが、
左右方向及び奥行き方向に延びる主ユニット用棚部と、
前記主ユニット用棚部の左部を支持する主ユニット用左側部と、
前記主ユニット用棚部の右部を支持する主ユニット用右側部と、
所定の上下幅を有しており、前記主ユニット用左側部の上端部と前記主ユニット用右側部の上端部との間に架け渡されて設けられた主ユニット用前面部と、
を備えており、前記主ユニット用左側部、前記主ユニット用右側部及び前記主ユニット用棚部が収容領域を画成しており、
前記複数の調整ユニットが、それぞれ、
調整ユニット用左側部と、
前記調整ユニット用左側部に対して右方向に一定の間隔をあけて設けられた調整ユニット用右側部と、
前記調整ユニット用左側部の上端部と前記調整ユニット用右側部の上端部に架け渡されて設けられた調整ユニット用前面部と、
を備えており、
前記調整ユニット用前面部、前記調整ユニット用左側部及び前記調整ユニット用右側部は、何れも、前記主ユニット用前面部の下端よりも低い上端を有しており、
前記複数の調整ユニットのうち隣り合う調整ユニット同士では、
前記調整ユニット用左側部と前記調整ユニット用右側部との左右方向の間隔は、前記主ユニット用左側部、前記主ユニット用右側部に近い方が長く、
前記主ユニット用左側部から遠い前記調整ユニット用左側部は、前記主ユニット用左側部に近い前記調整ユニット用左側部と比べて、低い上端を有しており、
前記主ユニット用右側部から遠い前記調整ユニット用右側部は、前記主ユニット用右側部に近い前記調整ユニット用右側部と比べて、低い上端を有しており、
前記主ユニット用前面部から遠い前記調整ユニット用前面部は、前記メインユニット用前面部に近い前記調整ユニット用前面部の下端と比べて、低い上端を有しており、
前記主ユニット用前面部と前記複数の調整ユニットにおけるそれぞれの前記調整ユニット用前面部とが平面視で重なり得る状態において、前記主ユニットにおける収容領域に前記調整ユニット用左側部及び前記調整ユニット用右側部の少なくとも一部が収容可能であり、
前記複数の調整ユニットにおけるそれぞれの前記調整ユニット用左側部及び前記調整ユニット用右側部の少なくとも一つのペアが前記主ユニットにおける収容領域から少なくとも部分的に引き出され、調整ユニット用棚部が前記ペアに係る前記調整ユニット用左側部と前記調整ユニット用右側部とに架け渡されて載置され、前記主ユニット用棚部と前記調整ユニット用棚部とが高さ方向及び奥行き方向に異なる位置に配置される、陳列棚。
【請求項４】
さらに、フロントユニットを備えており、
前記フロントユニットが、
前記調整ユニット用左側部を挟んで前記主ユニット用左側部と少なくとも一部対峙するように設けられたフロントユニット用左側部と、
前記フロントユニット用左側部に対して右方向に一定の間隔をあけて設けられ、かつ前記調整ユニット用右側部を挟んで前記主ユニット用右側部と少なくとも一部対峙するように設けられたフロントユニット用右側部と、
前記フロントユニット用左側部の下端部と前記フロントユニット用右側部の下端部との間においてフロント側で架け渡され、前記フロントユニット用左側部よりも左方向に延出し、かつ、前記フロントユニット用右側部よりも右方向に延出したフロントユニット用底部と、
前記フロントユニット用左側部の上端部と前記フロントユニット用右側部の上端部との間においてフロント側で架け渡され、前記フロントユニット用左側部よりも左方向に延出し、かつ、前記フロントユニット用右側部よりも右方向に延出したフロントユニット用棚部と、
を備え、
前記フロントユニット用左側部及び前記フロントユニット用右側部は、前記フロントユニット用底部及びフロントユニット棚部と比べて、長い奥行き寸法を有しており、
前記複数の調整ユニットのうち前記主ユニットから遠くに配置され得る調整ユニットにおける前記調整ユニット用左側部及び前記調整ユニット用右側部が、前記フロントユニット用左側部及び前記フロントユニット用右側部のそれぞれの後部を収容するためのフロントユニット用収容領域を画成しており、
前記フロントユニット用左側部と前記フロントユニット用右側部のそれぞれの後部が前記フロントユニット用収容領域に収容され得る状態において、前記フロントユニット用棚部及び前記フロントユニット用底部が前記収容領域に収容されずに前記主ユニットからフロント側に突出している、請求項３に記載の陳列棚。
【請求項５】
前記調整ユニット用前面部の左端が、前記調整ユニット用左側部より左側に延出しており、
前記調整ユニット用前面部の右端が、前記調整ユニット用右側部より右側に延出している、請求項１乃至４の何れか１項に記載の陳列棚。
【請求項６】
前記主ユニット用前面部の後方に主ユニット用照明具が設けられており、
前記主ユニット用前面部が、当該主ユニット用照明具により照明される主ユニット用装飾部と、左右からスライドにより挿入されて前記主ユニット用装飾部を覆う主ユニット用プレートと、を備え、
前記調整ユニット用前面部の後方に調整ユニット用照明具が設けられており、
前記調整ユニット用前面部が、前記調整ユニット用照明具により照明される調整ユニット用装飾部と、左右からスライドにより挿入されて前記調整ユニット用装飾部を覆う調整ユニット用プレートと、を備える、請求項１乃至５の何れか１項に記載の陳列棚。
【請求項７】
請求項１乃至６の何れか１項に記載の陳列棚を複数左右に並べて構成される、陳列システム。
【請求項８】
請求項１乃至６の何れか１項に記載の二台の陳列棚を第１の陳列棚及び第２の陳列棚として備えており、
前記第１の陳列棚の前記主ユニット用棚部と前記第２の陳列棚の前記主ユニット用棚部とが一枚の平板部材で構成されており、
前記第１の陳列棚の前記調整ユニット用左側部と前記第２の陳列棚の前記調整ユニット用左側部とが一枚の平板部材で構成されており、
前記第１の陳列棚の前記調整ユニット用右側部と前記第２の陳列棚の前記調整ユニット用右側部とが一枚の平板部材で構成されており、
前記第１の陳列棚の前記収容領域からの前記調整ユニットの引き出し方向が、前記第２の陳列棚の前記収容領域からの前記調整ユニットの引き出し方向と逆である、陳列システム。
【発明の詳細な説明】
【技術分野】
【０００１】
本発明は、陳列棚及び陳列システムに関する。
【背景技術】
【０００２】
冠婚葬祭において、その儀式に見合った各種オブジェ、写真、思い出の品々を配置するために、陳列棚が使用される。このような陳列棚は、複数の棚を上下方向に配置し、それらの棚が上から下になるに従い前方に配置されるように構成されている。特許文献１には、複数段の箱形で前部に手懸けを有する引き出しを備えた箪笥が開示されている。
【先行技術文献】
【特許文献】
【０００３】
【特許文献１】実開平６−５７２４２号公報
【発明の開示】
【発明が解決しようとする課題】
【０００４】
商品陳列棚、祭壇などの陳列棚は、使用されないとき、限られたスペースに収容しておくことができない。また、主催者の意向に応じて、陳列棚での棚の段数を自由に変更したい。
【０００５】
そこで、本発明では、主催者の意向に応じて棚の段数を自由に変更でき、かつ限られたスペースに設置可能な陳列棚及び陳列システムを提供することを目的とする。
【課題を解決するための手段】
【０００６】
本発明のコンセプトは次の通りである。
［１］主ユニット及調整ユニットを備えており、
前記主ユニットが、
左右方向及び奥行き方向に延びる主ユニット用棚部と、
前記主ユニット用棚部の左部を支持する主ユニット用左側部と、
前記主ユニット用棚部の右部を支持する主ユニット用右側部と、
所定の上下幅を有しており、前記主ユニット用左側部の上端部と前記主ユニット用右側部の上端部とに架け渡されて設けられた主ユニット用前面部と、
を備えており、前記主ユニット用左側部、前記主ユニット用右側部及び前記主ユニット用棚部が収容領域を画成しており、
前記調整ユニットが、
調整ユニット用左側部と、
前記調整ユニット用左側部に対して右方向に一定の間隔をあけて設けられた調整ユニット用右側部と、
前記調整ユニット用左側部の上端部と前記調整ユニット用右側部の上端部とに架け渡されて設けられた調整ユニット用前面部と、
を備えており、
前記調整ユニット用前面部、前記調整ユニット用左側部及び前記調整ユニット用右側部は、何れも、前記主ユニット用前面部の下端よりも低い上端を有しており、
前記主ユニット用前面部と前記調整ユニット用前面部とが平面視で重なり得る状態において、前記主ユニットにおける収容領域に前記調整ユニット用左側部及び前記調整ユニット用右側部の少なくとも一部が収容可能であり、
前記調整ユニット用左側部及び前記調整ユニット用右側部の前記一部が前記主ユニットにおける収容領域から少なくとも部分的に引き出され、調整ユニット用棚部が前記調整ユニット用左側部と前記調整ユニット用右側部とに架け渡されて載置され、前記主ユニット用棚部と前記調整ユニット用棚部とが高さ方向及び奥行き方向に異なる位置に配置される、陳列棚。
［２］さらに、フロントユニットを備えており、
前記フロントユニットが、
前記調整ユニット用左側部を挟んで前記主ユニット用左側部と少なくとも一部対峙するように設けられたフロントユニット用左側部と、
前記フロントユニット用左側部に対して右方向に一定の間隔をあけて設けられ、かつ前記調整ユニット用右側部を挟んで前記主ユニット用右側部と少なくとも一部対峙するように設けられたフロントユニット用右側部と、
前記フロントユニット用左側部の下端部と前記フロントユニット用右側部の下端部との間においてフロント側で架け渡され、前記フロントユニット用左側部よりも左方向に延出し、かつ、前記フロントユニット用右側部よりも右方向に延出したフロントユニット用底部と、
前記フロントユニット用左側部の上端部と前記フロントユニット用右側部の上端部との間においてフロント側で架け渡され、前記フロントユニット用左側部よりも左方向に延出し、かつ、前記フロントユニット用右側部よりも右方向に延出したフロントユニット用棚部と、
を備え、
前記フロントユニット用左側部及び前記フロントユニット用右側部は、前記フロントユニット用底部及びフロントユニット棚部と比べて、長い奥行き寸法を有しており、
前記調整ユニット用左側部及び前記調整ユニット用右側部が、前記フロントユニット用左側部及び前記フロントユニット用右側部のそれぞれの後部を収容するためのフロントユニット用収容領域を画成しており、
前記フロントユニット用左側部と前記フロントユニット用右側部のそれぞれの後部が前記フロントユニット用収容領域に収容され得る状態において、前記フロントユニット用棚部及び前記フロントユニット用底部が前記収容領域に収容されずに前記主ユニットからフロント側に突出している、前記［１］に記載の陳列棚。
［３］主ユニット及複数の調整ユニットを備えており、
前記主ユニットが、
左右方向及び奥行き方向に延びる主ユニット用棚部と、
前記主ユニット用棚部の左部を支持する主ユニット用左側部と、
前記主ユニット用棚部の右部を支持する主ユニット用右側部と、
所定の上下幅を有しており、前記主ユニット用左側部の上端部と前記主ユニット用右側部の上端部との間に架け渡されて設けられた主ユニット用前面部と、
を備えており、前記主ユニット用左側部、前記主ユニット用右側部及び前記主ユニット用棚部が収容領域を画成しており、
前記複数の調整ユニットが、それぞれ、
調整ユニット用左側部と、
前記調整ユニット用左側部に対して右方向に一定の間隔をあけて設けられた調整ユニット用右側部と、
前記調整ユニット用左側部の上端部と前記調整ユニット用右側部の上端部に架け渡されて設けられた調整ユニット用前面部と、
を備えており、
前記調整ユニット用前面部、前記調整ユニット用左側部及び前記調整ユニット用右側部は、何れも、前記主ユニット用前面部の下端よりも低い上端を有しており、
前記複数の調整ユニットのうち隣り合う調整ユニット同士では、
前記調整ユニット用左側部と前記調整ユニット用右側部との左右方向の間隔は、前記主ユニット用左側部、前記主ユニット用右側部に近い方が長く、
前記主ユニット用左側部から遠い前記調整ユニット用左側部は、前記主ユニット用左側部に近い前記調整ユニット用左側部と比べて、低い上端を有しており、
前記主ユニット用右側部から遠い前記調整ユニット用右側部は、前記主ユニット用右側部に近い前記調整ユニット用右側部と比べて、低い上端を有しており、
前記主ユニット用前面部から遠い前記調整ユニット用前面部は、前記メインユニット用前面部に近い前記調整ユニット用前面部の下端と比べて、低い上端を有しており、
前記主ユニット用前面部と前記複数の調整ユニットにおけるそれぞれの前記調整ユニット用前面部とが平面視で重なり得る状態において、前記主ユニットにおける収容領域に前記調整ユニット用左側部及び前記調整ユニット用右側部の少なくとも一部が収容可能であり、
前記複数の調整ユニットにおけるそれぞれの前記調整ユニット用左側部及び前記調整ユニット用右側部の少なくとも一つのペアが前記主ユニットにおける収容領域から少なくとも部分的に引き出され、調整ユニット用棚部が前記ペアに係る前記調整ユニット用左側部と前記調整ユニット用右側部とに架け渡されて載置され、前記主ユニット用棚部と前記調整ユニット用棚部とが高さ方向及び奥行き方向に異なる位置に配置される、陳列棚。
［４］さらに、フロントユニットを備えており、
前記フロントユニットが、
前記調整ユニット用左側部を挟んで前記主ユニット用左側部と少なくとも一部対峙するように設けられたフロントユニット用左側部と、
前記フロントユニット用左側部に対して右方向に一定の間隔をあけて設けられ、かつ前記調整ユニット用右側部を挟んで前記主ユニット用右側部と少なくとも一部対峙するように設けられたフロントユニット用右側部と、
前記フロントユニット用左側部の下端部と前記フロントユニット用右側部の下端部との間においてフロント側で架け渡され、前記フロントユニット用左側部よりも左方向に延出し、かつ、前記フロントユニット用右側部よりも右方向に延出したフロントユニット用底部と、
前記フロントユニット用左側部の上端部と前記フロントユニット用右側部の上端部との間においてフロント側で架け渡され、前記フロントユニット用左側部よりも左方向に延出し、かつ、前記フロントユニット用右側部よりも右方向に延出したフロントユニット用棚部と、
を備え、
前記フロントユニット用左側部及び前記フロントユニット用右側部は、前記フロントユニット用底部及びフロントユニット棚部と比べて、長い奥行き寸法を有しており、
前記複数の調整ユニットのうち前記主ユニットから遠くに配置され得る調整ユニットにおける前記調整ユニット用左側部及び前記調整ユニット用右側部が、前記フロントユニット用左側部及び前記フロントユニット用右側部のそれぞれの後部を収容するためのフロントユニット用収容領域を画成しており、
前記フロントユニット用左側部と前記フロントユニット用右側部のそれぞれの後部が前記フロントユニット用収容領域に収容され得る状態において、前記フロントユニット用棚部及び前記フロントユニット用底部が前記収容領域に収容されずに前記主ユニットからフロント側に突出している、前記［３］に記載の陳列棚。
［５］前記調整ユニット用前面部の左端が、前記調整ユニット用左側部より左側に延出しており、
前記調整ユニット用前面部の右端が、前記調整ユニット用右側部より右側に延出している、前記［１］乃至［４］の何れかに記載の陳列棚。
［６］前記主ユニット用前面部の後方に主ユニット用照明具が設けられており、
前記主ユニット用前面部が、当該主ユニット用照明具により照明される主ユニット用装飾部と、左右からスライドにより挿入されて前記主ユニット用装飾部を覆う主ユニット用プレートと、を備え、
前記調整ユニット用前面部の後方に調整ユニット用照明具が設けられており、
前記調整ユニット用前面部が、前記調整ユニット用照明具により照明される調整ユニット用装飾部と、左右からスライドにより挿入されて前記調整ユニット用装飾部を覆う調整ユニット用プレートと、を備える、前記［１］乃至［５］の何れかに記載の陳列棚。
［７］前記［１］乃至［６］の何れかに記載の陳列棚を複数左右に並べて構成される、陳列システム。
［８］前記［１］乃至［６］の何れかに記載の二台の陳列棚を第１の陳列棚及び第２の陳列棚として備えており、
前記第１の陳列棚の前記主ユニット用棚部と前記第２の陳列棚の前記主ユニット用棚部とが一枚の平板部材で構成されており、
前記第１の陳列棚の前記調整ユニット用左側部と前記第２の陳列棚の前記調整ユニット用左側部とが一枚の平板部材で構成されており、
前記第１の陳列棚の前記調整ユニット用右側部と前記第２の陳列棚の前記調整ユニット用右側部とが一枚の平板部材で構成されており、
前記第１の陳列棚の前記収容領域からの前記調整ユニットの引き出し方向が、前記第２の陳列棚の前記収容領域からの前記調整ユニットの引き出し方向と逆である、陳列システム。
【発明の効果】
【０００７】
本発明によれば、主催者の意向に応じて棚の段数を自由に変更でき、かつ限られたスペースに設置することができる。
【図面の簡単な説明】
【０００８】
【図１】本発明の第１の実施形態に係る陳列システムの斜視図である。
【図２Ａ】図１の陳列システムを構成する一つの陳列棚について未使用時の正面図である。
【図２Ｂ】図２ＡにおけるＡ１−Ａ１線に沿う断面図である。
【図２Ｃ】図２ＢにおけるＢ１−Ｂ１線に沿う断面図である。
【図３Ａ】図１の陳列システムを構成する一つの陳列棚についての使用時のＡ１−Ａ１線に沿う断面図である。
【図３Ｂ】図３ＡにおけるＣ１−Ｃ１線に沿う断面図である。
【図４】本発明の第１の実施形態に係る陳列システムを使用した状態の正面図である。
【図５Ａ】本発明の第２の実施形態に係る陳列システムを構成する一つの陳列棚について未使用時の正面図である。
【図５Ｂ】図５ＡにおけるＡ２−Ａ２線に沿う断面図である。
【図５Ｃ】本発明の第２の実施形態に係る陳列システムを構成する一つの陳列棚について使用時のＡ２−Ａ２線に沿う断面図である。
【図５Ｄ】図５Ａに示す陳列棚の使用時の概略平面図である。
【図６】本発明の第２の実施形態に係る陳列システムの使用形態を説明するための平面図であり、上段には未使用の状態を、中段には第１の使用状態を、下段には第２の使用状態を示す図である。
【図７】本発明の第３の実施形態に係る陳列システムの斜視図である。
【図８】図７の陳列システムを構成する一つの陳列棚についての使用時の平面図である。
【発明を実施するための形態】
【０００９】
以下、図面を参照しながら、本発明の実施形態について詳細に説明する。図示する形態は好ましい形態を示すものであり、本発明の範囲において適宜変更してもよい。
【００１０】
（第１の実施形態）
図１は本発明の第１の実施形態に係る陳列システムの斜視図であり、図２Ａは図１の陳列システムを構成する一つの陳列棚について未使用時の正面図であり、図２ＢはＡ１−Ａ１線に沿う断面図であり、図２ＣはＢ１−Ｂ１線に沿う断面図である。図３Ａは図１の陳列システムを構成する一つの陳列棚についての使用時のＡ１−Ａ１線に沿う断面図、図３ＢはＣ１−Ｃ１線に沿う断面図である。
【００１１】
本発明の第１の実施形態に係る陳列システム１は、図１に示されるように、複数の陳列棚を左右に並べて構成される。陳列棚２は何れも同じ構造を有しているが、左右に並ぶ配置に応じて、陳列棚２が異なる左右幅を有するようにしてもよいし、同一の寸法であってもよい。陳列棚２は、図２Ａ乃至図２Ｃに示されるように、主ユニット用棚部１１と主ユニット用左側部１２と主ユニット用右側部１３と主ユニット用前面部１４と主ユニット用補強部１５とを備えており、これらが組み立てられて一つの主ユニット１０が構成される。
【００１２】
主ユニット用棚部１１は、例えば左右方向及び奥行き方向に延びる板状部材からなる。主ユニット用棚部１１の左部が主ユニット用左側部１２上に固定され、主ユニット用左側部１２が主ユニット用棚部１１の左部を支持する。主ユニット用棚部１１の右部が主ユニット用右側部１３上に固定され、主ユニット用右側部１３が主ユニット用棚部１１の右部を支持する。主ユニット用前面部１４が、所定の上下幅を有しており、主ユニット用左側部１２の上端部と主ユニット用右側部１３の上端部とに架け渡されて設けられている。主ユニット用前面部１４より下側は、フロント側において設置面となる床面まで開口部１６を有しており、主ユニット用左側部１２と主ユニット用右側部１３とで挟まれ、主ユニット用棚部１１、主ユニット用左側部１２及び主ユニット用右側部１３が収容領域（「調整ユニット用収容領域」と呼んでもよい。）を画成する。調整ユニット用収容領域は一つの又は複数の調整ユニット３の少なくとも一部を収容し得、開口部１６は、調整ユニット３の少なくとも一部をフロント側に引き出して取り出すことを可能にする。
【００１３】
主ユニット用補強部１５において、その左端が主ユニット用左側部１２に取り付けられ、その右端が主ユニット用右側部１３に取り付けられている。主ユニット用補強部１５は、左右に長手方向を有する板状部材又は棒状部材である。主ユニット用補強部１５は、主ユニット用前面部１４と共に、主ユニット１０に加わるねじれに抗して、主ユニット用左側部１２と主ユニット用右側部１３との下側の間隔が、上側の間隔より広くならないようにするためのものである。主ユニット用補強部１５は、図２Ｂに示すように、二つ設けられている。主ユニット用補強部１５のうち一つが主ユニット用左側部１２及び主ユニット用右側部１３の各上端部の後部にそれらの間に架け渡すように設けられている。すなわち、複数の主ユニット用補強部１５のうち一つが、主ユニット用棚部１１の直下で主ユニット用前面部１４に対向するように設けられている。複数の主ユニット用補強部１５のうちもう一つが主ユニット用左側部１２及び主ユニット用右側部１３の各下端部の後部にそれらの間を架け渡すように設けられている。
【００１４】
調整ユニット３について説明する。調整ユニット３は、例えば３つ設けられる。調整ユニット（第１の調整ユニット）２０は、調整ユニット用左側部２２と調整ユニット用第２の右側部２３と調整ユニット用前面部２４と調整ユニット用補強部２５とを含んで構成され、調整ユニット左側部２２と調整ユニット用右側部２３とが対向しこれらに挟まれて調整ユニット左側部２２と調整ユニット用右側部２３とが領域２７を画成する。領域２７のフロント側に開口部２６を有する。
【００１５】
調整ユニット用右側部２３は、調整ユニット用左側部２２に対して右方向に一定の間隔をあけて設けられ、調整ユニット用前面部２４は、調整ユニット用左側部２２の上端部と調整ユニット用右側部２３の上端部とに架け渡されて設けられる。調整ユニット用前面部２４、調整ユニット用左側部２２及び調整ユニット用右側部２３は、何れも、主ユニット用前面部１４の下端よりも低い上端を有している。すなわち、調整ユニット用左側部２２は、主ユニット用左側部１２と比べて、主ユニット用前面部１４の上下幅だけ少なくとも低い高さを有しており、主ユニット用左側部１２に内側から隣接し得るように配置される。調整ユニット用右側部２３は、主ユニット用右側部１３と比べて、主ユニット用前面部１４の上下幅だけ少なくとも低い高さを有しており、主ユニット用右側部１３に内側から隣接し得るように配置される。調整ユニット用前面部２４が、所定の上下幅を有しており、調整ユニット用左側部２２及び調整ユニット用右側部２３のそれぞれの前面に架け渡すように取り付けられる。調整ユニット用前面部２４より下側は、前面側は設置面となる床面まで開口部２６を有する。調整ユニット用左側部２２及び調整ユニット用右側部２３で開口部２６より後方に領域２７を画成する。調整ユニット２０のうち調整ユニット用左側部２２及び調整ユニット用右側部２３の少なくとも一部が領域１７からフロント側に引き出された状態つまり使用状態において、調整ユニット用棚部２１が、調整ユニット用左側部２２と調整ユニット用右側部２３との間で、その引き出された調整ユニット用左側部２２及び調整ユニット用右側部２３の上に取り外し可能に架け渡されて載置されることで取り付けられる。
【００１６】
調整ユニット用棚部２１は、左右方向及び奥行き方向に延びる板状部２１ａと、調整ユニット用左側部２２及び調整ユニット用右側部２３のそれぞれに近接する一つ以上の突出部２１ｂと、を備える。調整ユニット用棚部２１の左端部が調整ユニット用左側部２２上に取り外し可能に取り付けられ、調整ユニット用左側部２２が調整ユニット用棚部２１の左部を支持する。調整ユニット用棚部２１の右端部が調整ユニット用右側部２３上に取り外し可能に取り付けられ、調整ユニット用右側部２３が調整ユニット用棚部２１の右部を支持する。調整ユニット用前面部２４は、調整ユニット用棚部２１の基準面、例えば下面から所定の上下幅を有しており、調整ユニット用左側部２２及び調整ユニット用右側部２３の各前面に架け渡されて取り付けられている。調整ユニット用前面部２４より下側は設置面となる床面まで開口部２６を有しており、開口部２６の後方に調整ユニット用左側部２２と調整ユニット用右側部２３とで画成する領域２７が調整ユニット（第２の調整ユニット）３０を収容し、当該領域２７の前面側である開口部２６は、調整ユニット３０の少なくとも一部をフロント側に引き出すことを可能にする。
【００１７】
調整ユニット用補強部２５は、左右に長手方向を有する板状部材又は棒状部材である。調整ユニット用補強部２５において、その左端が調整ユニット用左側部２２に取り付けられ、その右端が調整ユニット用右側部２３に取り付けられている。調整ユニット用補強部２５は、左右に長手方向を有する板状部材である。調整ユニット用補強部２５は、調整ユニット用前面部２４と共に、調整ユニット２０に加わるねじれに抗して、調整ユニット用左側部２２と調整ユニット用右側部２３との下側の間隔が、上側の間隔より広くならないようにするためである。調整ユニット用補強部２５は、図２Ｂに示すように、二つ設けられている。複数の調整ユニット用補強部２５のうち一つが、調整ユニット用左側部２２及び調整ユニット用右側部２３の各上端で、前後から略中間位置にそれらの間に掛け渡すように設けられている。調整ユニット用補強部２５の一つが、調整ユニット用前面部２４に対向するように設けられている。複数の調整ユニット用補強部２８のうちもう一つが調整ユニット用左側部２２及び調整ユニット用右側部２３の各下端の後部においてそれらの間を掛け渡すように設けられている。
【００１８】
調整ユニット（第２の調整ユニット）３０は、調整ユニット２０と同様の構成であり、調整ユニット用左側部３２と調整ユニット用右側部３３と調整ユニット用前面部３４と調整ユニット用補強部３５とを含んで構成され、調整ユニット用左側部３２と調整ユニット用右側部３３とが対向してそれらに挟まれて領域３７を画成する。当該領域３７のフロント側に開口部３６を有する。
【００１９】
調整ユニット用左側部３２が、調整ユニット用左側部２２と比べて、調整ユニット用前面部３４の上下幅だけ少なくとも低い高さを有しており、調整ユニット用左側部２２に内側から隣接して配置される。調整ユニット用右側部３３が、調整ユニット用右側部２３と比べて、調整ユニット用前面部２４の上下幅だけ少なくとも低い高さを有しており、調整ユニット用右側部２３に内側から隣接し得るように配置される。調整ユニット用前面部３４が、所定の上下幅を有しており、調整ユニット用左側部３２及び調整ユニット用右側部３３の各前面に架け渡すように設けられている。調整ユニット用前面部３４より下側は、前面側に、設置面となる床面まで開口部３６を有する。調整ユニット用左側部３２及び調整ユニット用右側部３３により挟まれて画成する領域３７を備える。第２の調整ユニット３０の少なくとも一部が領域２７から前方に引き出された状態つまり使用状態において、調整ユニット用棚部３２が、調整ユニット用左側部３２と調整ユニット用右側部３３との間で、調整ユニット用左側部３２及び調整ユニット用右側部３３で引き出された部分に架け渡されて載置することで取り付けられる。
【００２０】
調整ユニット用棚部３１は、左右方向及び奥行き方向に延びる板状部３１ａと、調整ユニット用左側部３２及び調整ユニット用右側部３３のそれぞれに近接し得る一つ以上の突出部３１ｂとを備える。調整ユニット用棚部３１の左部が調整ユニット用左側部３２上に取り外し可能に取り付けられ、調整ユニット用左側部３２が調整ユニット用棚部３１の左部を支持する。調整ユニット用棚部３１の右部が調整ユニット用右側部３３上に取り外し可能に取り付けられ、調整ユニット用右側部３３が調整ユニット用棚部３１の右部を支持する。調整ユニット用前面部３４より下側は、前面側は設置面となる床面まで開口部３６を有しており、調整ユニット用左側部３２と調整ユニット用右側部３３とで挟まれて領域３７を画成する。当該領域３７が調整ユニット（第３の調整ユニット）４０を収容し、当該領域３７の前方側には開口部３６が設けられ、開口部３６が第３の調整ユニット４０の一部又は全部を前方に引き出すことを可能にする。
【００２１】
調整ユニット用補強部３５は、左右に長手方向を有する板状部材又は棒状部材である。調整ユニット用補強部３５において、その左端が調整ユニット用左側部３２に取り付けられ、その右端が調整ユニット用右側部３３に取り付けられている。調整ユニット用補強部３５は、調整ユニット用前面部３４と共に、調整ユニット３０に加わるねじれに抗して、調整ユニット用左側部３２と調整ユニット用右側部３３との下側の間隔が、上側の間隔より広くならないようにするためである。調整ユニット用補強部３５は、図２Ｂに示すように、例えば二つ設けられている。複数の調整ユニット用補強部３５のうち一つが調整ユニット用左側部３２及び調整ユニット用右側部３３の上端部で、前後から略中間位置にそれらの間に架け渡すように設けられている。調整ユニット用補強部３５の一つが、調整ユニット用前面部３４に対向するように設けられている。調整ユニット用補強部３５のうちもう一つが調整ユニット用左側部３２及び調整ユニット用右側部３３の下端部の後部においてそれらの間を架け渡すように設けられている。
【００２２】
調整ユニット（第３の調整ユニット）４０は、調整ユニット２０，３０と同様に構成され、調整ユニット用左側部４２と調整ユニット用右側部４３と調整ユニット用前面部４４と調整ユニット用補強部４５とを含んで構成され、調整ユニット用左側部４２と調整ユニット用右側部４３とで挟まれて領域４７を画成し、当該領域４７の前面側に開口部４６が形成される。
【００２３】
調整ユニット用左側部４２が、調整ユニット用左側部３２と比べて、調整ユニット用前面部３４の上下幅より少なくとも低い高さを有しており、調整ユニット用左側部３２に内側から隣接し得るように配置される。調整ユニット用右側部４３が、調整ユニット用右側部３３と比べて、調整ユニット用前面部３４の上下幅より少なくとも低い高さを有しており、調整ユニット用右側部３３に内側から隣接し得るように配置される。調整ユニット用前面部４４が、所定の上下幅を有しており、調整ユニット用左側部４２及び調整ユニット用右側部４３の各前面に架け渡すように設けられる。調整ユニット用前面部４４より下側において、前面側は設置面となる床面まで開口部４６を有する。調整ユニット用左側部４２及び調整ユニット用右側部４３により挟まれて領域４７を画成する。第３の調整ユニット４０の少なくとも一部が領域３７から引き出された状態において、調整ユニット用棚部４１が、調整ユニット用左側部４２と調整ユニット用右側部４３との間で、その引き出された調整ユニット用左側部４２と調整ユニット用右側部４３の上に架け渡されて載置することで取り付けられる。
【００２４】
調整ユニット用棚部４１は、左右方向及び奥行き方向に延びる板状部４１ａと、調整ユニット用左側部４２及び調整ユニット用右側部４３のそれぞれに近接し得る一つ以上の突出部４１ｂとを備える。調整ユニット用棚部４１の左部が調整ユニット用左側部４２上に取り外し可能に取り付けられ、調整ユニット用左側部４２が調整ユニット用棚部４１の左部を支持する。調整ユニット用棚部４１の右部が調整ユニット用右側部４３上に取り外し可能に取り付けられ、調整ユニット用右側部４３が調整ユニット用棚部４１の右部を支持する。調整ユニット用前面部４４が、調整ユニット用棚部４８の基準面、例えば下面から所定の上下幅を有しており、調整ユニット用左側部４２及び調整ユニット用右側部４３の各前面に架け渡されて設けられる。調整ユニット用前面部４４より下側は設置面となる床面まで開口部４６を有しており、調整ユニット用左側部４２と調整ユニット用右側部４３とで挟まれて領域４７を画成する。
【００２５】
調整ユニット用補強部４５は、左右に長手方向を有する板状部材又は棒状部材である。調整ユニット用補強部４５において、その左端が調整ユニット用左側部４２に取り付けられ、その右端が調整ユニット用右側部４３に取り付けられている。調整ユニット用補強部４５は、調整ユニット用前面部４４と共に、調整ユニット（第４の調整ユニット）４０に加わるねじれに抗して、調整ユニット用左側部４２と調整ユニット用右側部４３との下側の間隔が、上側の間隔より広くならないようにするためである。調整ユニット用補強部４５は、図２Ｂに示すように、二つ設けられている。複数の調整ユニット用補強部４５のうち一つが調整ユニット用左側部４２及び調整ユニット用右側部４３の各上端で、前後から略中間位置にそれらの間に架け渡すように設けられている。調整ユニット用補強部４５のうちもう一つが調整ユニット用左側部４２及び調整ユニット用右側部４３の下端部の後部においてそれらの間を架け渡すように設けられている。調整ユニット用補強部４５のうち一つが、調整ユニット用前面部４４に対向するように設けられている。
【００２６】
このように、陳列棚２は、一つの主ユニット１０と、複数の調整ユニット、すなわち、第１の調整ユニット２０、第２の調整ユニット３０及び第３の調整ユニット４０とを備えている。主ユニット１０に関しては、主ユニット用左側部１１と主ユニット用右側部１２とが左右に間隔をおいて設けられ、主ユニット左側部１２と主ユニット用右側部１３との間のそれらの上に主ユニット用棚部１１が架け渡されて取り付けられ、主ユニット用左側部１２及び主ユニット用右側部１３の各前面に所定の上下幅を有する主ユニット用前面部１４が設けられることにより構成されており、主ユニット用左側部１２と主ユニット用右側部１３とで対向して調整ユニット収容用領域１７を画成する。このような陳列棚２が未使用の状態では、調整ユニット収容用領域１７には、複数の調整ユニット３が横方向（側方向）から見て重ねられるように収容されている。各調整ユニット３は、例えば第１の調整ユニット２０を例にとると、調整ユニット用左側部２２と調整ユニット用右側部２３とが左右に間隔をおいて設けられ、調整ユニット用左側部２２及び調整ユニット用右側部２３の前面に所定の上下幅を有する調整ユニット用前面部２４が設けられて構成される。陳列棚２が使用の状態では、各調整ユニット３が調整ユニット収容用領域１７から前方に少なくとも部分的に取り出され、調整ユニット用左側部と調整ユニット用右側部との間に調整ユニット用棚部２１が架け渡されることにより、主ユニット用棚部１１と各調整ユニット用棚部２１，３１，４１のそれぞれが、上下方向及び奥行き方向に異なる位置に配置される。
【００２７】
調整ユニット用前面部２４，３４，４４、調整ユニット用左側部２２，３２，４２及び調整ユニット用右側部２３，３３，４３は、何れも、主ユニット用前面部１４の下端よりも低い上端を有している。調整ユニット用左側部２２，３２，４２及び調整ユニット用右側部２３，３３，４３は、何れも、主ユニット用左側部１２、主ユニット用右側部１３よりも左右方向で中心側である内側に配置される。つまり、主ユニット用左側部１２は、何れの調整ユニット用左側部１２よりも左側に配置され、主ユニット用右側部１３は、何れの調整ユニット用右側部２３よりも右側に配置される。複数の調整ユニット３のうち隣り合う調整ユニット同士では、例えば調整ユニット２０と調整ユニット３０では、調整ユニット用左側部２２，３２と調整ユニット用右側部２３，３３との左右方向の間隔は、主ユニット用左側部１２、主ユニット用右側部１３に近い方（調整ユニット用左側部２２と調整ユニット用右側部２３との左右方向の間隔）が主ユニット用左側部１２、主ユニット用右側部１３に遠い方（調整ユニット用左側部３２と調整ユニット用右側部３３との左右方向の間隔）よりも長い。主ユニット用左側部１２から遠い調整ユニット用左側部３２は、主ユニット用左側部１２に近い調整ユニット用左側部２２と比べて、低い上端を有している。主ユニット用右側部１３から遠い調整ユニット用右側部３３は、主ユニット用右側部１３に近い調整ユニット用右側部２３と比べて、低い上端を有している。主ユニット用前面部１４から遠い調整ユニット用前面部３４は、メインユニット用前面部１４に近い調整ユニット用前面部２４の下端と比べて、低い上端を有している。また、
【００２８】
このような構成により、主ユニット用前面部１４と調整ユニット用前面部２４，３４，４４とが平面視で重なり得る状態において、主ユニット１０における収容領域１７に調整ユニット用左側部２２，３２，４２及び調整ユニット用右側部２３，３３，４３の少なくとも一部が収容可能である。調整ユニット用左側部２２，３２，４２及び調整ユニット用右側部２３，３３，４３のこれらの一部が主ユニット１０における収容領域１７から少なくとも部分的に引き出され、調整ユニット用棚部２１，３１，４１が調整ユニット用左側部２２，３２，４２と調整ユニット用右側部２３，３３，４３とにそれぞれ架け渡されて載置され、主ユニット用棚部１１と調整ユニット用棚部２１，３１，４１のそれぞれとが高さ方向及び奥行き方向に段違いとなる。
【００２９】
このような構成を有する陳列棚２は、未使用時には、図２Ａ、図２Ｂおよび図２Ｃに示すように、調整ユニット収容用領域１７に各調整ユニット３（第１の調整ユニット２０，第２の調整ユニット３０，第３の調整ユニット４０）が重なるようにそれらの各一部が収容され、使用する際には、図３Ａに示すように、調整ユニット収容用領域１７から第１の調整ユニット２０の少なくとも一部を引き出して取り出し、領域２７から第２の調整ユニット３０の少なくとも一部を引き出して取り出し、さらに領域３７から第３の調整ユニット４０の少なくとも一部を引き出して取り出し、調整ユニット用棚部２１を調整ユニット用左側部２２及び調整ユニット用右側部２３の上端に架け渡すように載せ、調整ユニット用棚部３１を調整ユニット用左側部３２及び調整ユニット用右側部３３の上端に架け渡すように載せ、調整ユニット用棚部４１を調整ユニット用左側部４２及び調整ユニット用右側部４３の上端に架け渡すように載せる。これにより、各調整ユニット用棚部２１，３１，４１が、上下方向及び奥行き方向に異なる配置となるように複数段を構成することができる。使用が終了すると、逆の手順により未使用の状態に戻すことができる。
【００３０】
よって、陳列棚２は、必要とする段数に相当する棚部の数だけ、各左右の側部を引き出して棚部を配置すれば、必要とする段数を備えた陳列棚を構成することができる。従って、使用するニーズにおいて、使用するときだけ、調整ユニット用左側部、調整ユニット用右側部及び調整ユニット用前面部から構成される調整ユニット３のうち必要な調整ユニットにおける調整ユニット用左側部、調整ユニット用右側部及び調整ユニット用前面部のみを引き出せばよい。未使用時には、全ての調整ユニット３を調整ユニット収容用領域１７に収容することにより、コンパクトとなる。
【００３１】
図１乃至図４では、二以上の調整ユニット３が設けられている場合を想定しているが、一つの調整ユニット３が設けられている場合であってもよい。また、図１乃至図４では、調整ユニット３をすべて引き出しているが、複数の調整ユニット３におけるそれぞれの調整ユニット用左側部及び調整ユニット用右側部の少なくとも一つのペアが、主ユニットにおける収容領域から少なくとも部分的に又は全部引き出されてもよい。この場合は、引き出されたペアに係る調整ユニット用左側部と調整ユニット用右側部とに調整ユニット用棚部が架け渡されて載置される。
【００３２】
（第１の実施形態でのバリエーション）
さらに、本発明の第１の実施形態に係る陳列棚のバリエーションについて説明する。このように構成された陳列棚２において、主ユニット１０における主ユニット用左側部１２及び主ユニット用右側部１３との間で、主ユニット用左側部１２及び主ユニット用右側部１３の横幅Ｌ１の略中間位置に、前面を照射するための第１の照明具（主ユニット用照明具）１８を取り付ける。一方、各調整ユニット３における調整ユニット用左側部２２，３２，４２及び調整ユニット用右側部２３，３３，４３との間で、調整ユニット用左側部２２，３２，４２及び調整ユニット用右側部２３，３３，４３との横幅Ｌ２，Ｌ３、Ｌ４の略中間位置に、前面を照射するための第２、第３、第４の照明具（調整ユニット用照明具）２８，３８、４８をそれぞれ取り付ける。各調整ユニット３では、調整ユニット用左側部２２，３２，４２及び調整ユニット用右側部２３，３３，４３との間で、調整ユニット用補強部２９，３９，４９を複数ずつ架け渡すように設け、各調整ユニット用補強部２９，３９，４９にそれぞれ対応させて第２、第３、第４の照明具２８，３８，４８を設けると良い。これは、図４に示すように、調整ユニット用左側部及び調整ユニット用右側部の横幅が、より前方に出されるものの方が小さく、すなわち、Ｌ４≦Ｌ３≦Ｌ２≦Ｌ１の関係を満たし、複数の照明具がそれぞれ対応する前面部からの距離が可及的に同様になるようにするためである。
【００３３】
また、各調整ユニット３において、例えば、調整ユニット用棚部２１の突起部２１ｂの後端が調整ユニット用補強部２９に当接することから、調整ユニット用棚部２１を載せる際に、奥行き方向の位置決めを効率よく行える。調整ユニット用棚部３１、調整ユニット用棚部４１についても同様である。
【００３４】
また、各調整ユニット３の調整ユニット用左側部２２，３２，４２及び調整ユニット用右側部２３，３３，４３は、それぞれの下端で前後に、キャスター５を取り付けることで、各調整ユニット３を調整ユニット収容用領域１７などから前方に取り出し易くなる。さらに、主ユニット１０の主ユニット用左側部１２及び主ユニット用右側部１３のそれぞれの下端で前後にキャスター５を取り付けることで、陳列棚２そのものの移動がし易くなる。
【００３５】
また、各調整ユニット３において、各調整ユニット用棚部２１，３１，４１及び各調整ユニット用前面部２４，３４，４４の左端が調整ユニット用左側部２２，３２，４２より左に延出しかつ調整ユニット用棚部２１，３１，４１及び各調整ユニット用前面部２４，３４，４４の右端が右側部２３，３３，４３より右に延出していることが好ましい。これは、図１に示すように、複数の陳列棚２を左右に並べて陳列システム１を構成することで、個別の陳列棚２ではなく、左右に並んだ複数の陳列棚２が一体感を有することで、大きな規模の祭壇や商品陳列を行うことができるからである。なお、主ユニット１０において、主ユニット用棚部１１及び調整ユニット用前面部１４の左端が調整ユニット用左側部１２より左側に延出しかつ調整ユニット用棚部１１及び調整ユニット用前面部１４の右端が調整ユニット用右側部１３より右に延出していてもよい。この場合には、各調整ユニット用棚部１０，２０，３０，４０の左右の横幅は等しくすることが好ましい。陳列棚２を横に並べて配置したのち、図４に示すように、陳列システム１の各棚部に各種オーナメントなどの装飾具５が配置され、陳列システム１の前側に高さの低い台６が配置されることで、各使用ニーズに応じることができる。
【００３６】
また、主ユニット用前面部１４，各調整ユニット用前面部２４，３４，４４が、後方から照明される装飾部（主ユニット用装飾部、調整ユニット用装飾部）７と、装飾部７を覆うプレート（主ユニット用プレート、調整ユニット用プレート）８と、を備えることが好ましい。プレート８は透過性の低いもしくは有しないものが好ましい。装飾部７は、図３Ａに示すように、主ユニット用前面部１４、調整ユニット用前面部２４，３４，４４のそれぞれにおいて、後方に配置される照明部１８，２８，３８，４８からの照明光を透過する、例えば障子紙の前面に光を通さないフレーム等で装飾されている。プレート８をそれぞれ対応する装飾部７の前側に配置しないことで、その装飾部７らによる装飾を醸し出すことができる。一方、プレート８をそれぞれ対応する装飾部７の前側に配置することで、各装飾部７らではなくプレート８らによる装飾を施すことができる。プレート８が装飾部７を前側から覆うように配置することが出来るよう、各調整ユニット用棚部１１，２１，３１，４１の下面にはレール１１ｃ，２１ｃ，３１ｃ，４１ｃが形成されており、調整ユニット用前面部１４，２４，３４，４４の下端部はレール１１ｄ，２１ｄ，３１ｄ，４１ｄを取り付ける。これらそれぞれ上下のレールの対により、図３Ｂに示すように、プレート８を左右の方向からスライドして装着することができる。
【００３７】
陳列棚２および陳列システム１が祭壇に適用される際には、例えば、プレート８を神式となるように装飾し、装飾部７が仏式となるように装飾すればよい。
【００３８】
（第２の実施形態）
図５Ａは本発明の第２の実施形態に係る陳列システムを構成する一つの陳列棚について未使用時の正面図であり、図５Ｂは図５ＡにおけるＡ２−Ａ２線に沿う断面図であり、図５Ｃは本発明の第２の実施形態に係る陳列システムを構成する一つの陳列棚について使用時のＡ２−Ａ２線に沿う断面図であり、図５Ｄは図５Ａに示す陳列棚の使用時の概略平面図である。
【００３９】
第２の実施形態に係る陳列システム１Ａは、図１に示した形態と同様、複数の陳列棚を横に並べて構成されている。図５Ａ乃至図５Ｄにおいて、第１の実施形態と同様の部材又は部分については同一の符号を付することで説明を省略する。
【００４０】
第２の実施形態では、各陳列棚２において、フロントユニット１１０をさらに備えている。フロントユニット１１０は、フロントユニット用左側部１１２と、フロントユニット用右側部１１３と、フロントユニット用底部１１４と、フロントユニット用棚部１１５と、を含んで構成されている。フロントユニット用左側部１１２は、一又は複数の調整ユニット用左側部２２，３２，４２を挟んで主ユニット用左側部１２と少なくとも一部対峙するように設けられる。フロントユニット用右側部１１３は、フロントユニット用左側部１１２に対して右方向に一定の間隔をあけて設けられ、かつ一又は複数の調整ユニット用右側部２３，３３，４３を挟んで主ユニット用右側部１３と少なくとも一部対峙するように設けられる。フロントユニット用底部１１４は、フロントユニット用左側部１１２の下端部とフロントユニット用右側部１１３の下端部との間においてフロント側で架け渡され、フロントユニット用左側部１１２よりも左方向に延出し、かつ、フロントユニット用右側部１１３よりも右方向に延出している。フロントユニット用棚部１１５は、フロントユニット用左側部１１２の上端部とフロントユニット用右側部１１３の上端部との間においてフロント側で架け渡され、フロントユニット用左側部１１２よりも左方向に延出し、かつ、フロントユニット用右側部１１３よりも右方向に延出している。
【００４１】
ここで、フロントユニット用左側部１１２及びフロントユニット用右側部１１３は、フロントユニット用底部１１４及びフロントユニット棚部１１５と比べて、長い奥行き寸法を有している。最も内側の、即ち主ユニット１０から遠くに配置され得る調整ユニット用左側部４２及び調整ユニット用右側部４３がフロントユニット用収容領域を画成し、当該フロントユニット用収容領域がフロントユニット用左側部１１２及びフロントユニット用右側部１１３のそれぞれの後部を収容する。同様に、フロントユニット用左側部１１２とフロントユニット用右側部１１３のそれぞれの後部がフロントユニット用収容領域に収容され得る状態において、フロントユニット用棚部１１５及びフロントユニット用底部１１４が収容領域に収容されずに主ユニット１０から突出している。
【００４２】
このように、各陳列棚２において、フロントユニット１１０が備わっており、フロントユニット用左側部１１２及びフロントユニット用右側部１１３のそれぞれの残りである前端部とフロントユニット用底部１１４及びフロントユニット用棚部１１５が陳列棚２から突出している。フロントユニット用左側部１１２及びフロントユニット用右側部１１３のそれぞれの後端部が陳列棚２の収容領域１７に収容し得る。これにより、各陳列棚２の最下段の棚より下側の目隠しとなる台、例えば図４の台６を別途、設置スペースを設けることなく、陳列棚２とあたかも一体化させ、ユニットの奥行き方向の寸法を広げるだけでよい。フロントユニット１１０は、例えば、フロントユニット用底部１１４及びフロントユニット用棚部１１５の前後の中間位置に離隔壁部１１６を設けて、奥側を目隠しし、フロントユニット用棚部１１５の上に取付用棚部１１７を載せて置き、フロントユニット１１１０をフロント側に引き出したとき、フロントユニット用左側部１１２及びフロントユニット用右側部１１３のそれぞれの後端部に架け渡して載置することもできる。
【００４３】
図６は、本発明の第２の実施形態に係る陳列システムの使用形態を説明するための平面図であり、上段には未使用の状態を、中段には第１の使用状態を、下段には第２の使用状態を示す図である。図６に示すように、図５Ａ乃至図５Ｄに示す複数の陳列棚２を横に並べて、セレモニー会場のバックスペース１４０に配備しておき、複数の陳列棚２で、セレモニー主催者の意向に応じて、例えば、中央の二つの陳列棚１２１，１２２は、主ユニット１２１Ａ，１２２Ａと調整ユニット１２１Ｂ，１２２Ｂとフロントユニット１２１Ｃ，１２２Ｃを用いて、前から後ろになるにつれて各棚部が高くなるようにし、両脇の二つの陳列棚１２３，１２４では、フロントユニット１２３Ｃ，１２４Ｃだけを使用するようにしてもよい。この場合には、使用するユニットだけをセレモニー会場に引出し、使用しない両脇の陳列棚１２３，１２４の主ユニット１２３Ａ，１２４Ａ及び調整ユニット１２３Ｂ，１２４Ｂを引き出さずにバックスペース１４０に配置したまま、カーテン１３０などの幕を下げればよい。
【００４４】
図７の下段に示す第２の使用状態のように、全ての陳列棚２（１２１，１２２，１２３，１２４）において、主ユニット１２１Ａ，１２２Ａ，１２３Ａ，１２４Ａと調整ユニット１２１Ｂ，１２２Ｂ，１２３Ｂ，１２４Ｂとフロントユニット１２１Ｃ，１２２Ｃ，１２３Ｃ，１２４Ｃを用いて、前から後ろになるにつれて各棚部が高くなるようにすることもできる。
【００４５】
図６では、４つの陳列棚２の場合を例示しているが、陳列棚の数は、４つの場合に限定されることなく、セレモニー会場のサイズに応じてより多くの陳列棚を並べてもよいし、陳列棚の数も３以上の奇数台並べてもよい。
【００４６】
（第３の実施形態）
図７は本発明の第３の実施形態に係る陳列システムの斜視図であり、図８は図７の陳列システムを構成する一つの陳列棚についての使用時の平面図である。
【００４７】
第３の実施形態に係る陳列システム１００は、第１の実施形態に係る陳列システム１とは異なり、二台の陳列棚５０，６０を前後に並べて構成されている。第１の実施形態との違いは次の通りである。第１の陳列棚５０における主ユニット用棚部５１と第２の陳列棚６０の主ユニット用棚部６１とが一枚の平板部材で構成されている。第１の陳列棚５０の主ユニット用左側部５２と第２の陳列棚６０の主ユニット用左側部６２とが一枚の平板部材で構成されている。第１の陳列棚５０の主ユニット用右側部５３と第２の陳列棚６０の主ユニット用右側部６３とが一枚の平板部材で構成されている。第１の陳列棚５０の調整ユニット収容用領域５７からの調整ユニット７０の引き出し方向が、第２の陳列棚６０のユニット収容用領域６７からの調整ユニット８０の引き出し方向と逆である。これにより、左右ではなく、前後方向に凸の階段状の棚部を備えることができる。それ以外の構成については第１の実施形態を同様にまた必要に応じて変更すればよい。なお、左右の向きは、第１の陳列棚５０を基準に設定している。
【００４８】
以上説明したように、本発明の各実施形態によれば、必要なときに必要な調整ユニット用棚部が載置される調整ユニットを引き出すことで、前後方向に高さの異なる階段状の陳列棚を構成することができ、使用が終了すると、それらのサブユニットをベースユニットの第１の領域に収容することができるので、コンパクト化することができる。また、陳列棚を複数並べて配置して、フロントユニットを配置しておくことでより主催者の意向に沿ったセレモニーを開催でき、会場提供者はフロントユニットを別途かたづけておく必要がない。なお、本明細書においては、セレモニーで使用される陳列棚及び陳列システムを想定しているが、別段それに限らず、複数の棚で段違いとなるようにする場合においても適用される。セレモニーその他の場合に、必要となるものを付加したり本発明の本質的な範囲内において適宜設計変更したりすることもできる。
【符号の説明】
【００４９】
１，１Ａ，１００：陳列システム
２：陳列棚
３：調整ユニット
４：キャスター
５：装飾具
６：台
７：装飾部
８：プレート
１０：主ユニット
１１：主ユニット用棚部
１２：主ユニット用左側部
１３：主ユニット用右側部
１４：主ユニット用前面部
１５：主ユニット用補強部
１６，２６，３６，４６：開口部
１７：調整ユニット収容用領域
１８：第１の照明具
２０：第１の調整ユニット
２１，３１，４１：調整ユニット用棚部
２２，３２，４２：調整ユニット用左側部
２３，３３，４３：調整ユニット用右側部
２４，３４，４４：調整ユニット用前面部
２５，３５，３９，４５，４９：調整ユニット用補強部
２６，３６，４６：開口部
２７，３７：領域
２８：第２の照明具
３０：第３の調整ユニット
３６：開口部
３８：第３の照明具
４０：第３の調整ユニット
４８：第４の照明具
５０，６０：陳列棚
５１，６１：主ユニット用棚部
５２，６２：主ユニット用左側部
５３，６３：主ユニット用右側部
５７，６７：調整ユニット収容用領域
７０，８０：調整ユニット
１１０：フロントユニット
１１２：フロントユニット用左側部
１１３：フロントユニット用右側部
１１４：フロントユニット用底部
１１５：フロントユニット用棚部
１１６：壁部
１１７：取付用棚部
１２１，１２２，１２３，１２４：陳列棚
１２１Ａ，１２２Ａ，１２３Ａ，１２４Ａ：主ユニット
１２１Ｂ，１２２Ｂ，１２３Ｂ，１２４Ｂ：調整ユニット
１２１Ｃ，１２２Ｃ，１２３Ｃ，１２４Ｃ：フロントユニット
１３０：カーテン
１４０：バックスペース
【図１】
2020151155.tif 000003
【図２Ａ】
2020151155.tif 000004
【図２Ｂ】
2020151155.tif 000005
【図２Ｃ】
2020151155.tif 000006
【図３Ａ】
2020151155.tif 000007
【図３Ｂ】
2020151155.tif 000008
【図４】
2020151155.tif 000009
【図５Ａ】
2020151155.tif 000010
【図５Ｂ】
2020151155.tif 000011
【図５Ｃ】
2020151155.tif 000012
【図５Ｄ】
2020151155.tif 000013
【図６】
2020151155.tif 000014
【図７】
2020151155.tif 000015
【図８】
2020151155.tif 000016
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
主ユニット及び調整ユニットを備えており、
前記主ユニットが、
左右方向及び奥行き方向に延びる主ユニット用棚部と、
前記主ユニット用棚部の左部を支持する主ユニット用左側部と、
前記主ユニット用棚部の右部を支持する主ユニット用右側部と、
所定の上下幅を有しており、前記主ユニット用左側部の上端部と前記主ユニット用右側部の上端部とに架け渡されて設けられた主ユニット用前面部と、
を備えており、前記主ユニット用左側部、前記主ユニット用右側部及び前記主ユニット用棚部が収容領域を画成しており、
前記調整ユニットが、
調整ユニット用左側部と、
前記調整ユニット用左側部に対して右方向に一定の間隔をあけて設けられた調整ユニット用右側部と、
前記調整ユニット用左側部の上端部と前記調整ユニット用右側部の上端部とに架け渡されて設けられた調整ユニット用前面部と、
を備えており、
前記調整ユニット用前面部、前記調整ユニット用左側部及び前記調整ユニット用右側部は、何れも、前記主ユニット用前面部の下端よりも低い上端を有しており、
前記主ユニット用前面部と前記調整ユニット用前面部とが平面視で重なり得る状態において、前記主ユニットにおける収容領域に前記調整ユニット用左側部及び前記調整ユニット用右側部の少なくとも一部が収容可能であり、
前記調整ユニット用左側部及び前記調整ユニット用右側部の前記一部が前記主ユニットにおける収容領域から少なくとも部分的に引き出され、調整ユニット用棚部が前記調整ユニット用左側部と前記調整ユニット用右側部とに架け渡されて載置され、前記主ユニット用棚部と前記調整ユニット用棚部とが高さ方向及び奥行き方向に異なる位置に配置され、
前記主ユニット用前面部の後方に主ユニット用照明具が設けられており、
前記主ユニット用前面部が、前記主ユニット用照明具により照明される主ユニット用装飾部と、左右からスライドにより挿入されて前記主ユニット用装飾部を覆う主ユニット用プレートと、を備え、
前記調整ユニット用前面部の後方に調整ユニット用照明具が設けられており、
前記調整ユニット用前面部が、前記調整ユニット用照明具により照明される調整ユニット用装飾部と、左右からスライドにより挿入されて前記調整ユニット用装飾部を覆う調整ユニット用プレートと、を備え、
前記主ユニット用照明具の前記主ユニット用装飾部からの距離が、前記調整ユニット用照明具の前記調整ユニット用装飾部からの距離と等しい、陳列棚。
【請求項２】
さらに、フロントユニットを備えており、
前記フロントユニットが、
前記調整ユニット用左側部を挟んで前記主ユニット用左側部と少なくとも一部対峙するように設けられたフロントユニット用左側部と、
前記フロントユニット用左側部に対して右方向に一定の間隔をあけて設けられ、かつ前記調整ユニット用右側部を挟んで前記主ユニット用右側部と少なくとも一部対峙するように設けられたフロントユニット用右側部と、
前記フロントユニット用左側部の下端部と前記フロントユニット用右側部の下端部との間においてフロント側で架け渡され、前記フロントユニット用左側部よりも左方向に延出し、かつ、前記フロントユニット用右側部よりも右方向に延出したフロントユニット用底部と、
前記フロントユニット用左側部の上端部と前記フロントユニット用右側部の上端部との間においてフロント側で架け渡され、前記フロントユニット用左側部よりも左方向に延出し、かつ、前記フロントユニット用右側部よりも右方向に延出したフロントユニット用棚部と、
を備え、
前記フロントユニット用左側部及び前記フロントユニット用右側部は、前記フロントユニット用底部及びフロントユニット棚部と比べて、長い奥行き寸法を有しており、
前記調整ユニット用左側部及び前記調整ユニット用右側部が、前記フロントユニット用左側部及び前記フロントユニット用右側部のそれぞれの後部を収容するためのフロントユニット用収容領域を画成しており、
前記フロントユニット用左側部と前記フロントユニット用右側部のそれぞれの後部が前記フロントユニット用収容領域に収容され得る状態において、前記フロントユニット用棚部及び前記フロントユニット用底部が前記収容領域に収容されずに前記主ユニットからフロント側に突出している、請求項１に記載の陳列棚。
【請求項３】
主ユニット及び複数の調整ユニットを備えており、
前記主ユニットが、
左右方向及び奥行き方向に延びる主ユニット用棚部と、
前記主ユニット用棚部の左部を支持する主ユニット用左側部と、
前記主ユニット用棚部の右部を支持する主ユニット用右側部と、
所定の上下幅を有しており、前記主ユニット用左側部の上端部と前記主ユニット用右側部の上端部との間に架け渡されて設けられた主ユニット用前面部と、
を備えており、前記主ユニット用左側部、前記主ユニット用右側部及び前記主ユニット用棚部が収容領域を画成しており、
前記複数の調整ユニットが、それぞれ、
調整ユニット用左側部と、
前記調整ユニット用左側部に対して右方向に一定の間隔をあけて設けられた調整ユニット用右側部と、
前記調整ユニット用左側部の上端部と前記調整ユニット用右側部の上端部に架け渡されて設けられた調整ユニット用前面部と、
を備えており、
前記調整ユニット用前面部、前記調整ユニット用左側部及び前記調整ユニット用右側部は、何れも、前記主ユニット用前面部の下端よりも低い上端を有しており、
前記複数の調整ユニットのうち隣り合う調整ユニット同士では、
前記調整ユニット用左側部と前記調整ユニット用右側部との左右方向の間隔は、前記主ユニット用左側部、前記主ユニット用右側部に近い方が長く、
前記主ユニット用左側部から遠い前記調整ユニット用左側部は、前記主ユニット用左側部に近い前記調整ユニット用左側部と比べて、低い上端を有しており、
前記主ユニット用右側部から遠い前記調整ユニット用右側部は、前記主ユニット用右側部に近い前記調整ユニット用右側部と比べて、低い上端を有しており、
前記主ユニット用前面部から遠い前記調整ユニット用前面部は、前記メインユニット用前面部に近い前記調整ユニット用前面部の下端と比べて、低い上端を有しており、
前記主ユニット用前面部と前記複数の調整ユニットにおけるそれぞれの前記調整ユニット用前面部とが平面視で重なり得る状態において、前記主ユニットにおける収容領域に前記調整ユニット用左側部及び前記調整ユニット用右側部の少なくとも一部が収容可能であり、
前記複数の調整ユニットにおけるそれぞれの前記調整ユニット用左側部及び前記調整ユニット用右側部の少なくとも一つのペアが前記主ユニットにおける収容領域から少なくとも部分的に引き出され、調整ユニット用棚部が前記ペアに係る前記調整ユニット用左側部と前記調整ユニット用右側部とに架け渡されて載置され、前記主ユニット用棚部と前記調整ユニット用棚部とが高さ方向及び奥行き方向に異なる位置に配置され、
前記主ユニット用前面部の後方に主ユニット用照明具が設けられており、
前記主ユニット用前面部が、前記主ユニット用照明具により照明される主ユニット用装飾部と、左右からスライドにより挿入されて前記主ユニット用装飾部を覆う主ユニット用プレートと、を備え、
それぞれの前記調整ユニット用前面部の後方に調整ユニット用照明具が設けられており、
それぞれの前記調整ユニット用前面部が、前記調整ユニット用照明具により照明される調整ユニット用装飾部と、左右からスライドにより挿入されて前記調整ユニット用装飾部を覆う調整ユニット用プレートと、を備え、
前記主ユニット用照明具の前記主ユニット用装飾部からの距離が、それぞれの前記調整ユニット用照明具の前記調整ユニット用装飾部からの距離と等しい、陳列棚。
【請求項４】
さらに、フロントユニットを備えており、
前記フロントユニットが、
前記調整ユニット用左側部を挟んで前記主ユニット用左側部と少なくとも一部対峙するように設けられたフロントユニット用左側部と、
前記フロントユニット用左側部に対して右方向に一定の間隔をあけて設けられ、かつ前記調整ユニット用右側部を挟んで前記主ユニット用右側部と少なくとも一部対峙するように設けられたフロントユニット用右側部と、
前記フロントユニット用左側部の下端部と前記フロントユニット用右側部の下端部との間においてフロント側で架け渡され、前記フロントユニット用左側部よりも左方向に延出し、かつ、前記フロントユニット用右側部よりも右方向に延出したフロントユニット用底部と、
前記フロントユニット用左側部の上端部と前記フロントユニット用右側部の上端部との間においてフロント側で架け渡され、前記フロントユニット用左側部よりも左方向に延出し、かつ、前記フロントユニット用右側部よりも右方向に延出したフロントユニット用棚部と、
を備え、
前記フロントユニット用左側部及び前記フロントユニット用右側部は、前記フロントユニット用底部及びフロントユニット棚部と比べて、長い奥行き寸法を有しており、
前記複数の調整ユニットのうち前記主ユニットから遠くに配置され得る調整ユニットにおける前記調整ユニット用左側部及び前記調整ユニット用右側部が、前記フロントユニット用左側部及び前記フロントユニット用右側部のそれぞれの後部を収容するためのフロントユニット用収容領域を画成しており、
前記フロントユニット用左側部と前記フロントユニット用右側部のそれぞれの後部が前記フロントユニット用収容領域に収容され得る状態において、前記フロントユニット用棚部及び前記フロントユニット用底部が前記収容領域に収容されずに前記主ユニットからフロント側に突出している、請求項３に記載の陳列棚。
【請求項５】
前記調整ユニット用前面部の左端が、前記調整ユニット用左側部より左側に延出しており、
前記調整ユニット用前面部の右端が、前記調整ユニット用右側部より右側に延出している、請求項１乃至４の何れか１項に記載の陳列棚。
【請求項６】
バックスペースに請求項２及び４の何れか１項に記載の陳列棚を複数左右に並べて構成されており、
複数の前記陳列棚のうち使用する陳列棚のうち、左右両脇の陳列棚を除いて、前記バックスペースから引き出され、
複数の前記陳列棚のうち使用する陳列棚のうち、両脇の陳列棚を除いて、前記主ユニットと前記調整ユニットと前記フロントユニットが前記バックスペースから引き出されて、前から後ろになるにつれて各棚部が高くなるようにし、
前記両脇の陳列棚において前記主ユニット及び前記調整ユニットがバックスペースに配置されたままで、前記フロントユニットのみが利用される、陳列システム。
【手続補正２】
【補正対象書類名】明細書
【補正対象項目名】０００６
【補正方法】変更
【補正の内容】
【０００６】
本発明のコンセプトは次の通りである。
［１］主ユニット及び調整ユニットを備えており、
前記主ユニットが、
左右方向及び奥行き方向に延びる主ユニット用棚部と、
前記主ユニット用棚部の左部を支持する主ユニット用左側部と、
前記主ユニット用棚部の右部を支持する主ユニット用右側部と、
所定の上下幅を有しており、前記主ユニット用左側部の上端部と前記主ユニット用右側部の上端部とに架け渡されて設けられた主ユニット用前面部と、
を備えており、前記主ユニット用左側部、前記主ユニット用右側部及び前記主ユニット用棚部が収容領域を画成しており、
前記調整ユニットが、
調整ユニット用左側部と、
前記調整ユニット用左側部に対して右方向に一定の間隔をあけて設けられた調整ユニット用右側部と、
前記調整ユニット用左側部の上端部と前記調整ユニット用右側部の上端部とに架け渡されて設けられた調整ユニット用前面部と、
を備えており、
前記調整ユニット用前面部、前記調整ユニット用左側部及び前記調整ユニット用右側部は、何れも、前記主ユニット用前面部の下端よりも低い上端を有しており、
前記主ユニット用前面部と前記調整ユニット用前面部とが平面視で重なり得る状態において、前記主ユニットにおける収容領域に前記調整ユニット用左側部及び前記調整ユニット用右側部の少なくとも一部が収容可能であり、
前記調整ユニット用左側部及び前記調整ユニット用右側部の前記一部が前記主ユニットにおける収容領域から少なくとも部分的に引き出され、調整ユニット用棚部が前記調整ユニット用左側部と前記調整ユニット用右側部とに架け渡されて載置され、前記主ユニット用棚部と前記調整ユニット用棚部とが高さ方向及び奥行き方向に異なる位置に配置され、
前記主ユニット用前面部の後方に主ユニット用照明具が設けられており、
前記主ユニット用前面部が、前記主ユニット用照明具により照明される主ユニット用装飾部と、左右からスライドにより挿入されて前記主ユニット用装飾部を覆う主ユニット用プレートと、を備え、
前記調整ユニット用前面部の後方に調整ユニット用照明具が設けられており、
前記調整ユニット用前面部が、前記調整ユニット用照明具により照明される調整ユニット用装飾部と、左右からスライドにより挿入されて前記調整ユニット用装飾部を覆う調整ユニット用プレートと、を備え、
前記主ユニット用照明具の前記主ユニット用装飾部からの距離が、前記調整ユニット用照明具の前記調整ユニット用装飾部からの距離と等しい、陳列棚。
［２］さらに、フロントユニットを備えており、
前記フロントユニットが、
前記調整ユニット用左側部を挟んで前記主ユニット用左側部と少なくとも一部対峙するように設けられたフロントユニット用左側部と、
前記フロントユニット用左側部に対して右方向に一定の間隔をあけて設けられ、かつ前記調整ユニット用右側部を挟んで前記主ユニット用右側部と少なくとも一部対峙するように設けられたフロントユニット用右側部と、
前記フロントユニット用左側部の下端部と前記フロントユニット用右側部の下端部との間においてフロント側で架け渡され、前記フロントユニット用左側部よりも左方向に延出し、かつ、前記フロントユニット用右側部よりも右方向に延出したフロントユニット用底部と、
前記フロントユニット用左側部の上端部と前記フロントユニット用右側部の上端部との間においてフロント側で架け渡され、前記フロントユニット用左側部よりも左方向に延出し、かつ、前記フロントユニット用右側部よりも右方向に延出したフロントユニット用棚部と、
を備え、
前記フロントユニット用左側部及び前記フロントユニット用右側部は、前記フロントユニット用底部及びフロントユニット棚部と比べて、長い奥行き寸法を有しており、
前記調整ユニット用左側部及び前記調整ユニット用右側部が、前記フロントユニット用左側部及び前記フロントユニット用右側部のそれぞれの後部を収容するためのフロントユニット用収容領域を画成しており、
前記フロントユニット用左側部と前記フロントユニット用右側部のそれぞれの後部が前記フロントユニット用収容領域に収容され得る状態において、前記フロントユニット用棚部及び前記フロントユニット用底部が前記収容領域に収容されずに前記主ユニットからフロント側に突出している、前記［１］に記載の陳列棚。
［３］主ユニット及び複数の調整ユニットを備えており、
前記主ユニットが、
左右方向及び奥行き方向に延びる主ユニット用棚部と、
前記主ユニット用棚部の左部を支持する主ユニット用左側部と、
前記主ユニット用棚部の右部を支持する主ユニット用右側部と、
所定の上下幅を有しており、前記主ユニット用左側部の上端部と前記主ユニット用右側部の上端部との間に架け渡されて設けられた主ユニット用前面部と、
を備えており、前記主ユニット用左側部、前記主ユニット用右側部及び前記主ユニット用棚部が収容領域を画成しており、
前記複数の調整ユニットが、それぞれ、
調整ユニット用左側部と、
前記調整ユニット用左側部に対して右方向に一定の間隔をあけて設けられた調整ユニット用右側部と、
前記調整ユニット用左側部の上端部と前記調整ユニット用右側部の上端部に架け渡されて設けられた調整ユニット用前面部と、
を備えており、
前記調整ユニット用前面部、前記調整ユニット用左側部及び前記調整ユニット用右側部は、何れも、前記主ユニット用前面部の下端よりも低い上端を有しており、
前記複数の調整ユニットのうち隣り合う調整ユニット同士では、
前記調整ユニット用左側部と前記調整ユニット用右側部との左右方向の間隔は、前記主ユニット用左側部、前記主ユニット用右側部に近い方が長く、
前記主ユニット用左側部から遠い前記調整ユニット用左側部は、前記主ユニット用左側部に近い前記調整ユニット用左側部と比べて、低い上端を有しており、
前記主ユニット用右側部から遠い前記調整ユニット用右側部は、前記主ユニット用右側部に近い前記調整ユニット用右側部と比べて、低い上端を有しており、
前記主ユニット用前面部から遠い前記調整ユニット用前面部は、前記メインユニット用前面部に近い前記調整ユニット用前面部の下端と比べて、低い上端を有しており、
前記主ユニット用前面部と前記複数の調整ユニットにおけるそれぞれの前記調整ユニット用前面部とが平面視で重なり得る状態において、前記主ユニットにおける収容領域に前記調整ユニット用左側部及び前記調整ユニット用右側部の少なくとも一部が収容可能であり、
前記複数の調整ユニットにおけるそれぞれの前記調整ユニット用左側部及び前記調整ユニット用右側部の少なくとも一つのペアが前記主ユニットにおける収容領域から少なくとも部分的に引き出され、調整ユニット用棚部が前記ペアに係る前記調整ユニット用左側部と前記調整ユニット用右側部とに架け渡されて載置され、前記主ユニット用棚部と前記調整ユニット用棚部とが高さ方向及び奥行き方向に異なる位置に配置され、
前記主ユニット用前面部の後方に主ユニット用照明具が設けられており、
前記主ユニット用前面部が、前記主ユニット用照明具により照明される主ユニット用装飾部と、左右からスライドにより挿入されて前記主ユニット用装飾部を覆う主ユニット用プレートと、を備え、
それぞれの前記調整ユニット用前面部の後方に調整ユニット用照明具が設けられており、
それぞれの前記調整ユニット用前面部が、前記調整ユニット用照明具により照明される調整ユニット用装飾部と、左右からスライドにより挿入されて前記調整ユニット用装飾部を覆う調整ユニット用プレートと、を備え、
前記主ユニット用照明具の前記主ユニット用装飾部からの距離が、それぞれの前記調整ユニット用照明具の前記調整ユニット用装飾部からの距離と等しい、陳列棚。
［４］さらに、フロントユニットを備えており、
前記フロントユニットが、
前記調整ユニット用左側部を挟んで前記主ユニット用左側部と少なくとも一部対峙するように設けられたフロントユニット用左側部と、
前記フロントユニット用左側部に対して右方向に一定の間隔をあけて設けられ、かつ前記調整ユニット用右側部を挟んで前記主ユニット用右側部と少なくとも一部対峙するように設けられたフロントユニット用右側部と、
前記フロントユニット用左側部の下端部と前記フロントユニット用右側部の下端部との間においてフロント側で架け渡され、前記フロントユニット用左側部よりも左方向に延出し、かつ、前記フロントユニット用右側部よりも右方向に延出したフロントユニット用底部と、
前記フロントユニット用左側部の上端部と前記フロントユニット用右側部の上端部との間においてフロント側で架け渡され、前記フロントユニット用左側部よりも左方向に延出し、かつ、前記フロントユニット用右側部よりも右方向に延出したフロントユニット用棚部と、
を備え、
前記フロントユニット用左側部及び前記フロントユニット用右側部は、前記フロントユニット用底部及びフロントユニット棚部と比べて、長い奥行き寸法を有しており、
前記複数の調整ユニットのうち前記主ユニットから遠くに配置され得る調整ユニットにおける前記調整ユニット用左側部及び前記調整ユニット用右側部が、前記フロントユニット用左側部及び前記フロントユニット用右側部のそれぞれの後部を収容するためのフロントユニット用収容領域を画成しており、
前記フロントユニット用左側部と前記フロントユニット用右側部のそれぞれの後部が前記フロントユニット用収容領域に収容され得る状態において、前記フロントユニット用棚部及び前記フロントユニット用底部が前記収容領域に収容されずに前記主ユニットからフロント側に突出している、前記［３］に記載の陳列棚。
［５］前記調整ユニット用前面部の左端が、前記調整ユニット用左側部より左側に延出しており、
前記調整ユニット用前面部の右端が、前記調整ユニット用右側部より右側に延出している、前記［１］乃至［４］の何れかに記載の陳列棚。
［６］バックスペースに前記［２］及び［４］の何れかに記載の陳列棚を複数左右に並べて構成されており、
複数の前記陳列棚のうち使用する陳列棚のうち、左右両脇の陳列棚を除いて、前記バックスペースから引き出され、
複数の前記陳列棚のうち使用する陳列棚のうち、両脇の陳列棚を除いて、前記主ユニットと前記調整ユニットと前記フロントユニットが前記バックスペースから引き出されて、前から後ろになるにつれて各棚部が高くなるようにし、
前記両脇の陳列棚において前記主ユニット及び前記調整ユニットがバックスペースに配置されたままで、前記フロントユニットのみが利用される、陳列システム。
【手続補正３】
【補正対象書類名】明細書
【補正対象項目名】００２７
【補正方法】変更
【補正の内容】
【００２７】
調整ユニット用前面部２４，３４，４４、調整ユニット用左側部２２，３２，４２及び調整ユニット用右側部２３，３３，４３は、何れも、主ユニット用前面部１４の下端よりも低い上端を有している。調整ユニット用左側部２２，３２，４２及び調整ユニット用右側部２３，３３，４３は、何れも、主ユニット用左側部１２、主ユニット用右側部１３よりも左右方向で中心側である内側に配置される。つまり、主ユニット用左側部１２は、何れの調整ユニット用左側部１２よりも左側に配置され、主ユニット用右側部１３は、何れの調整ユニット用右側部２３よりも右側に配置される。複数の調整ユニット３のうち隣り合う調整ユニット同士では、例えば調整ユニット２０と調整ユニット３０では、調整ユニット用左側部２２，３２と調整ユニット用右側部２３，３３との左右方向の間隔は、主ユニット用左側部１２、主ユニット用右側部１３に近い方（調整ユニット用左側部２２と調整ユニット用右側部２３との左右方向の間隔）が主ユニット用左側部１２、主ユニット用右側部１３に遠い方（調整ユニット用左側部３２と調整ユニット用右側部３３との左右方向の間隔）よりも長い。主ユニット用左側部１２から遠い調整ユニット用左側部３２は、主ユニット用左側部１２に近い調整ユニット用左側部２２と比べて、低い上端を有している。主ユニット用右側部１３から遠い調整ユニット用右側部３３は、主ユニット用右側部１３に近い調整ユニット用右側部２３と比べて、低い上端を有している。主ユニット用前面部１４から遠い調整ユニット用前面部３４は、メインユニット用前面部１４に近い調整ユニット用前面部２４の下端と比べて、低い上端を有している。